(57)【要約】【課題】本考案は、操作が簡単であり、何らの工具を用いることなく迅速且つ確実にスリット材を支持することができるコンクリート壁形成時のスリット材支持装置を提供することを目的とする。【解決手段】現場打ちされるコンクリート構築物の壁部にスリット構造部を形成するに際してスリット材を支持しておくためのスリット材支持装置であって、前端側に前記スリット材を支承するスリット材支持部が設けられた支持バーと、該支持バーにスライド移動調節自在に設けられると共に型枠間の間隔を保持するために型枠間に差し渡されるセパレータに嵌合する断面略倒れコ字形の位置決め固定金具と、該位置決め固定金具の頂部から前記セパレータと直交する方向にねじ込まれると共に頭部に操作摘み部を有する締付ネジとを備え、該締付ネジを締め付けることにより位置決め固定金具をセパレータに締付固定するようにしたことを特徴とする。【選択図】図１
0003122566.tif 000002
【実用新案登録請求の範囲】
【請求項１】
現場打ちされるコンクリート構築物の壁部にスリット構造部を形成するに際してスリット材を支持しておくためのスリット材支持装置であって、前端側に前記スリット材を支承するスリット材支持部が設けられた支持バーと、該支持バーにスライド移動調節自在に設けられると共に型枠間の間隔を保持するために型枠間に差し渡されるセパレータに嵌合する断面略倒れコ字形の位置決め固定金具と、該位置決め固定金具の頂部から前記セパレータと直交する方向にねじ込まれると共に頭部に操作摘み部を有する締付ネジとを備え、該締付ネジを締め付けることにより位置決め固定金具をセパレータに締付固定するようにしたことを特徴とするコンクリート壁形成時のスリット材支持装置。
【請求項２】
支持バーの全体又は一部が螺棒であることを特徴とする請求項１に記載のコンクリート壁形成時のスリット材支持装置。
【請求項３】
スリット材支持部は、螺棒からなる支持バーの先端に突き刺し部が形成されると共に該支持バーに螺合された当接片とで構成され、該当接片を回転させることによりスリット材への突き刺し部の突き刺し深さが調節可能になっていることを特徴とする請求項１に記載のコンクリート壁形成時のスリット材支持装置。
【考案の詳細な説明】
【技術分野】
【０００１】
本考案は、現場打ちされるコンクリート構築物の壁部にスリット構造部を形成するに際してスリット材を支持しておくためのスリット材支持装置に係り、特に位置決め調節を容易になし得るようにした装置に関するものである。
【背景技術】
【０００２】
コンクリート構築物においては、柱と腰壁や袖壁等の壁部を一体化した場合には地震等の振動の際に壁部が柱の変形性を阻害することとなって却って柱の剛性が弱くなることが知られており、前記のような欠点を防止する手段として、従来より、コンクリート打設時に柱と壁部との間に発泡樹脂製等の柔軟材からなる長板状のスリット材を配置して低強度接合部を形成しておいて強度の振動の際に該低強度接合部が破壊されるのを予定するように構築した構築物が知られている。
【０００３】
前記のような低強度接合部の形成に際しては、スリット材を単に壁部の一部に埋設しておいて有事の際には壁部にクラックを誘発させるようにした断面欠損形式のものと、図４に示すように、柱１１と腰壁、袖壁等の壁部１２との接合部や接合部の近傍に長板状のスリット材１４を目地部材１３，１３で保持した形態で縦に配置してスリット構造部Ｓを設ける完全スリット形式のものとがある。
【０００４】
施工に際してはスリット材１４を柱１１に近い壁部１２の型枠１２ａ、１２ｂ間に配置すると共に通常はコンクリート打ちは柱１１側から行われるが、スリット材１４が柔軟材であることからこのスリット材１４を確実に保持しておく必要がある。
【０００５】
そこで、従来より、完全スリット形式のものにおいては壁部１２の型枠１２ａ、１２ｂ間を保持するためのセパレータ１６を利用してスリット材支持装置１５で保持させるようにしており、このスリット材支持装置１５としては従来より各種のものが提案され使用されている。
【０００６】
我々が提案した前記スリット材支持装置１５は、前端側に前記スリット材１４を支承するスリット材支持部が設けられた螺棒からなる支持バーと、該支持バーに螺合されていて回転させることにより位置決め調節可能となっていると共に前記セパレータ１６に嵌合するようにした断面略Ｕ字形の位置決め固定金具とで構成されている。
【特許文献１】実用新案登録第２５１４０８８号公報
【考案の開示】
【考案が解決しようとする課題】
【０００７】
我々の提案に係る特許文献１に記載のものは、スリット材を確実に支持しておくことができることから盛んに使用されているが、スリット材１４とセパレータ１６との間の距離合わせに際しては前記位置決め固定金具を回転させて長さ調節する形式であるため、距離が長いときには固定金具を多数回回転させる必要があり、施工の際の迅速性において改良すべき点があった。
【０００８】
本考案は、前記のような改良すべき点に鑑み、操作が簡単であり、何らの工具を用いることなく迅速且つ確実にスリット材を取り付けることができるコンクリート壁形成時のスリット材支持装置を提供することを目的とする。
【課題を解決するための手段】
【０００９】
上記課題を解決するために、本考案のコンクリート壁形成時のスリット材支持装置は、現場打ちされるコンクリート構築物の壁部にスリット構造部を形成するに際してスリット材を支持しておくためのスリット材支持装置であって、前端側に前記スリット材を支承するスリット材支持部が設けられた支持バーと、該支持バーにスライド移動調節自在に設けられると共に型枠間の間隔を保持するために型枠間に差し渡されるセパレータに嵌合する断面略倒れコ字形の位置決め固定金具と、該位置決め固定金具の頂部から前記セパレータと直交する方向にねじ込まれると共に頭部に操作摘み部を有する締付ネジとを備え、該締付ネジを締め付けることにより位置決め固定金具をセパレータに締付固定するようにしたことを特徴とする。
【００１０】
このように構成することにより、支持バー先端部側のスリット材支持部でスリット材を支承した状態で位置決め固定金具をセパレータの位置までスライド移動させ、該位置決め固定金具をセパレータに嵌合させた後、その頂部にある締付ネジで支持バーに締め付け固定する。これによりスリット材を所定の位置で簡単且つ迅速に支持させておくことができる。
【００１１】
この場合、支持バーは従来の螺棒による支持バーをそのまま使用することができると共に全体又は一部にネジ部を形成した螺棒を使用することもでき、このような支持バーであると、締付ネジの締付操作により該締付ネジの先端が支持バーのネジ山に強固に係止し、締付固定がより強固なものとなる。
【００１２】
支持バーの先端部側に設けられる前記スリット材支持部としては、単に支持バーの先端部に鋭利な突き刺し部を形成すると共に所定の後方位置にスリット材に押し当てる当接片を固着したものであってもよいが、支持バーを螺棒としてその先端に突き刺し部を形成し、前記当接片に形成したネジ孔を支持バーに螺合して、該当接片を回転させることによりスリット材への突き刺し部の突き刺し深さを調節できるようにすることができ、このように構成すれば、スリット材の厚さに対応させることができる。
【考案の効果】
【００１３】
本考案のコンクリート壁形成時のスリット材支持装置によれば、支持バー先端部側のスリット材支持部でスリット材を支承した状態で位置決め固定金具をセパレータの位置までスライド移動させ、該位置決め固定金具をセパレータに嵌合させた後、その頂部にある締付ネジで支持バーに締め付け固定することにより、スリット材を所定の位置に簡単且つ迅速に位置決めできると共に柱部へのコンクリート打設時においては破損等を生じることなく確実にスリット材を支持させることができる。
【００１４】
支持バーとして全体又は一部にネジ部を形成した螺棒を使用すれば、締付ネジの締付操作により該締付ネジの先端が支持バーのネジ山に強固に係止し、締付固定がより強固なものとなる。
【００１５】
支持バーの先端部側に設けられるスリット材支持部として、螺棒からなる支持バーの先端に突き刺し部を形成し、前記当接片に形成したネジ孔を支持バーに螺合して、該当接片を回転させることによりスリット材への突き刺し部の突き刺し深さを調節できるようにすれば、スリット材の厚さに対応させることができる。
【考案を実施するための最良の形態】
【００１６】
螺棒の先端に鋭利な突き刺し部を形成した支持バーを構成し、スリット材への当接片にはネジ孔を形成して該ネジ孔を前記支持バーに螺合することによりスリット支持部を設ける。前記当接片は従来のものと同様に、細長金属板材を断面略コ字形に形成すると共にその両端縁を更に外方向に屈曲して平面当接部を形成したものであり、また、位置決め固定金具は断面略倒れコ字形に形成され、その対向する両片に前記支持バーを挿通する挿通孔を形成すると共に該位置決め固定金具の頂部にネジ孔を形成し、該ネジ孔に蝶ネジ又はうちわネジ等のような頭部に操作部を有する締付ネジを螺合する。この位置決め固定金具を前記支持バーにスライド移動自在に挿通する。
【００１７】
使用に際しては、当接片を回転させて支持バーのスリット材への突き刺し深さを調節した状態で、コンクリート打ちされる壁部の型枠間に配置されたスリット材に支持バーの先端部を突き刺して前記当接片が例えばスリット材に縦に又は斜めに当接されるようにして固定し、支持バーに疎通されている位置決め固定金具をセパレータの位置までスライド移動させて該セパレータに嵌合し、該位置決め固定金具をその頂部にある締付ネジで支持バーに締付固定する。
【００１８】
前記締付ネジによる締付操作は手動操作だけでも充分に締め付け固定することができるが、それだけでは不安な場合や手動操作がしにくいような場合にはペンチ等の工具で操作摘み部を把持して回転させることにより確実に固定することができる。
【実施例】
【００１９】
図１は本考案に係るコンクリート壁形成時のスリット材支持装置の一例を示す側面図、図２は斜視図、図３は施工例を示す斜視図である。なお、図４に基づいて説明したスリット構造部の部材と同一部材については同一の符号を付してその詳細な説明は省略する。
【００２０】
図中、１はコンクリート壁形成時のスリット材支持装置を示し、従来より使用している螺棒による支持バーを利用して、該螺棒の先端に鋭利な突き刺し部２ａを形成した支持バー２を構成し、スリット材１４への当接片３は従来のものと同様に、細長金属板材３ａを断面略コ字形に形成すると共にその両端縁を更に外方向に屈曲して平面当接部３ｂを形成したものであり、該当接片３にはネジ孔３ｃを形成して該ネジ孔３ｃを前記支持バー２に螺合することによりスリット支持部４を設ける。
【００２１】
位置決め固定金具５は断面略逆コ字形に形成され、その対向する両片５ａ，５ａ間の間隔はセパレータ１６を強固に挟持できる程度のものとし、該両片５ａ、５ａに前記支持バー２を挿通する挿通孔５ｃを形成する。また、該位置決め固定金具５の頂部５ｂにはネジ孔５ｄを形成し、該ネジ孔５ｄに蝶ネジ又はうちわネジ等のような頭部に操作部６ａを有する締付ネジ６を螺合する。この位置決め固定金具５を前記支持バー２にスライド移動自在に挿通する。
【００２２】
使用に際しては、当接片３を回転させて支持バー２のスリット材１４への突き刺し深さを調節した状態で、コンクリート打ちされる壁部１２の型枠１２ａ、１２ｂ間に配置されたスリット材１４に支持バー２の先端部を突き刺して前記当接片３が、例えばスリット材１４に縦に又は斜めに当接されるようにして固定し、支持バー２に疎通されている位置決め固定金具５をセパレータ１６の位置までスライド移動させて該セパレータ１６に嵌合し、該位置決め固定金具５をその頂部５ｂにある締付ネジ６で支持バー２に締付固定する。
【００２３】
前記締付ネジ６による締付操作は手動操作だけでも充分に締め付け固定することができ、特に支持バー２が螺棒であると締付ネジ６の先端が螺棒のネジ山に係合して強固に固定することができる。締付ネジ６の手動操作による締付固定だけでは不安な場合や手動操作がしにくいような場合にはペンチ等の工具で操作摘み部を回転させればより強固に確実に固定することができる。
【００２４】
なお、実施例では完全スリット形式のスリット材の支持装置について説明したが、断面欠損形式のスリット材の支持装置に使用することができるのは当然である。
【図面の簡単な説明】
【００２５】
【図１】コンクリート壁形成時のスリット材支持装置の実施例を示す側面図である。
【図２】コンクリート壁形成時のスリット材支持装置の実施例を示す斜視図である。
【図３】コンクリート壁形成時のスリット材支持装置の施工例を示す斜視図である。
【図４】コンクリート壁にスリット構造部を形成する例を示す断面平面図である。
【符号の説明】
【００２６】
Ｓ      スリット構造
１      コンクリート壁形成時のスリット材支持装置
２      支持バー
３      当接片
４      スリット支持部
５      位置決め固定金具
６      締付ネジ
１１    柱
１２    壁部
１３    目地部材
１４    スリット部材
１６    セパレータ
【図１】
0003122566.tif 000003
【図２】
0003122566.tif 000004
【図３】
0003122566.tif 000005
【図４】
0003122566.tif 000006